(57)【要約】      （修正有）【課題】  従来、使用済みや使用途中で使わなくなったスプレー缶に穴を開ける場合、キリなどを使い手元で穴を開ける方法、針付きの器具にスプレー缶をのせて足で押しつけ穴を開ける方法などがあったが、内容物のガスが吹き出し、身体に付着し困っていた。そこで、臭いや安全性を考え離れた位置から誰でも簡単にスプレー缶に穴を開ける方法を研究した。【解決手段】2014139089.tif 000016うに付け、上部には金属製の穴あけ板（３）をネジ（４）で固定板（１）に取り付けた。（ロ）固定板（１）の後方を伸縮棒（６）の前方の金属製の筒（５）に挿入し、ネジ（４）などで取り付けた。（ハ）使用するときは、伸縮棒（６）を伸ばして使う。（ニ）使わないときは、針付きの先端部を安全カバー（７）に入れ、マジックテープ（８）でとめておく。  以上の如く構成された簡単なスプレー缶の穴あけ器。【選択図】図−５
2014139089.tif 000002
【特許請求の範囲】
【請求項１】
2014139089.tif 000015
の下部からの長さが０．３ｃｍ〜２ｃｍになるように取り付け、固定板（１）の上部には、金属製の穴あき板（３）をネジ（４）などで固定板（１）に取り付けた。
（ロ）固定板（１）の後方を、伸縮棒（６）の前方の金属製の筒（５）の中に挿入し、ネジ（４）などで取り付けた。
（ハ）伸縮棒（６）にマジックテープ（８）を取り付け、後方に握り部分（９）と引掛ける穴（１０）を設ける。
（ニ）別に、筒形の安全カバー（７）の一方は閉じる。もう一方は開口にした、その一端にマジックテープ（８）を取り付けた。以上の如く構成された、スプレー缶の穴あけ器。
【発明の詳細な説明】
【発明の詳細な説明】
【技術分野】
【０００１】  この発明は、使用済みのスプレー空き缶や、使用途中で使わなくなり、廃棄処分するスプレー缶に穴をあける、スプレー缶の穴あけ器に関するものである。
【背景技術】
【０００２】  従来、使用済みのスプレー缶に穴をあける場合。
（イ）キリなど、先端部分が鋭利な器具を使い、手元近くで穴をあける方法などが多かった。
（ロ）皿状のスタンドに上向きに針が固定してあり、その針の先端近くにスプリングの缶受けを取り付け、このスプリングに使用済みのスプレー缶をのせて、足で押しつけると、針が穴を開ける方法。
尚、スプレー缶の一部には、「ガス抜き装置付き」の表示が付いている缶があるが、比較的高価であり、又、内容物のガスが抜けるのに、時間がかかるなどの欠点があった。
いずれにしても、市町村がスプレー缶を収集する場合、燃やせないゴミとして出すとき、危険性のある不燃物扱いになるので、必ずスプレー缶には、穴をあけてから出すようになっている。
【発明が解決しようとする課題】
【０００３】  これは次のような欠点があった。
（イ）キリなど先端が鋭利な器具で穴をあける場合、手元近くでスプレー缶に穴をあけるため、スプレー缶内に残っていた臭いのする内容物のガスなどが吹き出して、身体に付着し困る事があった。
（ロ）皿状のスタンドに上向きの針が固定してあり、その上にスプリングの缶受けを取り付け、この上にスプレー缶をのせて、足で押しつけ穴をあける器具では、下方向に内容物のガスが吹き出すが、特に塗料入りのスプレー缶に穴をあけると、皿状のスタンドも色が付着し器具が汚れる。又、足で押すので靴やズボンにも色や臭いが付着する事があった。
（ハ）（イ）、（ロ）とも手元や足元で使用済みのスプレー缶に、穴を一個あけることが多い。特に使用途中で廃棄するため穴をあけて処分する場合、残っていた内容物のガスや泡が抜けるのに、時間がかかり、不便であった。
本発明は、これらの欠点を除くためになされたものである。
【課題を解決するための手段】
【０００４】（イ）それを図面について説明すると、伸縮棒（６）の後方に握り部分（９）と引
2014139089.tif 000003
金具（２）、２個を固定板（１）の下部からの長さが１ｃｍ程度になるように
2014139089.tif 000004
子樹脂などからなる板や、金属製の穴あき板（３）で被い、接着剤やネジ（４）などで固定板（１）に取り付けた。
2014139089.tif 000005
の前方の金属製の筒（５）の中に挿入し、接着剤やネジ（４）などで取り付けた。
（ハ）又、伸縮棒（６）は長さが調節できるようになっており、使用時には伸ばして使う。
（ニ）先端部分には尖った針がついており、危険なため使用しないときは、伸縮棒（６）を縮めた後、先端部分を安全カバー（７）の中に入れ、安全カバー（７）についているマジックテープ（８）と伸縮棒につけているマジックテープ（８）をひっつけて固定する。
本発明は、以上のような構成よりなるスプレー缶の穴あけ器である。
【発明を実施するための形態】
【０００５】  以下本発明の実施の形態について説明する。
例−１
2014139089.tif 000006
（２）の先が固定板（１）の下部からの長さが１．２ｃｍになるように取り付け、
2014139089.tif 000007
製の穴あき板（３）をネジ（４）で固定板（１）に取り付けた。
（ロ）固定板（１）の後方を、伸縮棒（６）の前方の金属製の筒（５）の中に挿入し、ネジ（４）などで取り付けた。
（ハ）伸縮棒（６）は長さが５０ｃｍ〜１００ｃｍ程度に調節できるようになっており、使用時には伸ばして使う。
（ニ）別に、高分子樹脂などからなるプラスチック製の筒形の安全カバー（７）の一方は閉じる。もう一方は開口にし、その一端にマジックテープ（８）を取り付けた。
本発明は以上のような構造である。これを使用するときには、
（イ）スプレー缶の穴あけ器の針が付いている先端部分を被っている安全カバー（７）をはずすため、マジックテープ（８）をはがし、安全カバーをはずす。
（ロ）スプレー缶の穴あけ器の伸縮棒（６）を伸ばすと、約１００ｃｍになる。
（ハ）次に使用済みや使用途中で、廃棄することになったスプレー缶を広げたポリ袋の中に置く。
（ニ）伸ばした状態の伸縮棒（６）の握り部分（９）を片手で持ち、離れた位置からスプレー缶の上部中心をめがけて軽く叩くと、一回で２個以上の穴を開けることができる。
尚、カラー塗料等のスプレー缶の場合は、飛散をより少なくするため、大きめのポリ袋の中に入れ、ポリ袋の外側から叩く。
（ホ）スプレー缶に残っていた内容物のガスが吹き出すが、大半はポリ袋内に収まり、身体に付着しない。
（ヘ）スプレー缶に残っていた泡や液体も、穴が二か所以上開いているので早く流れ出る。よって、早く処理できる。
（ト）穴が開いたスプレー缶は、ポリ袋ごと片づける。
例−２
2014139089.tif 000008
み、一体成型する。
（ロ）一体成型した固定板（１）の後方を伸縮棒（６）の前方の金属製の筒（５）の中に挿入し、ネジ（４）や接着剤等で取り付ける。
（ハ）別に高分子樹脂からなるプラスチック製の筒型の安全カバー（７）の一方は閉じる。もう一方は開口にし、その一端にマジックーテープ（８）を取り付けたもの。
使用方法は例−１に準ずる。
例−３
（イ）高分子樹脂などからなるプラスチック製の固定板（１）の代わりに、金属製の丸棒や金属製の板あるいは金属製の筒などの下部に両方の先が鋭利
2014139089.tif 000009
の金属製の筒（５）の中に挿入し、ネジ（４）や接着剤などで取り付ける。
（ハ）別に高分子樹脂からなるプラスチック製の筒型の安全カバー（７）の一方は閉じる。もう一方は開口にし、その一端にマジックテープ（８）を取り付けたもの。
使用方法は例−１に準ずる。
例−４
2014139089.tif 000010
どからなるプラスチック製の固定板（１）の上部から差入れ、針形金具の先が固定板（１）の下部からの長さが１．２ｃｍになるように取り付け、さらに針形金具が抜けないよう上部に押え用の金属製の穴あけ板（３）をネジ（４）で固定板（１）に取り付けた。
（ロ）針形金具をつけた固定板（１）の後方を伸縮棒（６）の前方の金属製の筒（５）の中に挿入し、ネジ（４）などで取り付けた。
（ハ）別に高分子樹脂からなるプラスチック製の筒型の安全カバー（７）の一方は閉じる。もう一方は開口にし、その一端はマジックテープ（８）を取り付けたもの。
使用法は例−１に準ずる。
例−５
2014139089.tif 000011
ック製の固定板（１）の下部から針形金具の先の長さが１．２ｃｍになるように固定板（１）に埋め込み、一体成型する。
（ロ）一体成型した固定板（１）の後方を伸縮棒（６）の前方の金属製の筒（５）の中に挿入し、ネジ（４）や接着剤などで取り付けた。
（ハ）別に高分子樹脂からなるプラスチック製の筒型の安全カバー（７）の一方は閉じる。もう一方は開口にし、その一端にマジックテープ（８）を取り付けたもの。
使用方法は例−１に準ずる。
例−６
2014139089.tif 000012
2014139089.tif 000013
成型する。
（ロ）一体成型した固定板（１）の後方を長さが約１００ｃｍの金属製の筒あるいはプラスチック製の前方の筒の中に挿入し、ネジ（４）や接着剤などで取り付ける。
（ハ）また、金属製の筒あるいはプラスチック製の筒の後方には、握り部分（９）や、引掛ける穴（１０）を設けた伸縮棒（６）を使わないスプレー缶の穴あけ器。
（ニ）別に高分子樹脂からなるプラスチック製の筒型の安全カバー（７）の一方は閉じる。もう一方は開口にし、その一端にマジックテープ（８）を取り付けたもの。
使用方法は例−１に準ずる。
【発明の効果】
【０００６】（イ）スプレー缶の穴あけ器の針が、一本では離れた位置から使用済みのスプレー缶を叩いたとき、針の当たる場所が悪いと針が滑り穴が開きにくい。又、小さい径のスプレー缶の場合、外れることがあり、使いにくく不便であった。
よって、針を複数（２個以上）にすることにより、誰でも簡単で安全・確実に穴を２個以上開けられるようにした。
（ロ）スプレー缶に穴が２個以上開いていると、叩いたとき内容物のガス圧が分散し、飛散範囲も狭くなり、早く処理できる。
（ハ）スプレー缶から離れた位置から叩くので、色や臭いのある内容物のあるガスが身体に付着しない。
（ニ）穴あけ用の針は、危険なためプラスチック製の安全カバーに入れるようにし、マジックテープでとめておくようにした。
（ホ）既存の伸縮棒を利用・改良して先端部分を取り付ければ、安価なスプレー缶の穴あけ器ができる。
（ヘ）狭い場所で穴を開ける場合、スプレー缶を少し大きめのポリ袋に入れ、ポリ袋の外側から穴あけ器で叩けば内容物のガス飛散がさらに少なくできる。
（ト）伸縮棒を利用することにより、コンパクトなスプレー缶の穴あけ器ができた。
【図面の簡単な説明】
【図１】本発明の安全カバーを付け収納した斜視図である。
【図２】本発明の安全カバーの斜視図である。
【図３】本発明の安全カバーを外した斜視図である。
【図４】本発明の伸縮棒を伸ばした斜視図である。
【図５】図３の先端部分の断面図である。
【符号の説明】１    固定板
2014139089.tif 000014
３    金属製の穴あき板
４    ネジ
５    金属製の筒
６    伸縮棒
７    安全カバー
８    マジックテープ
９    握り部分
１０  引掛ける穴
【図−１】
2014139089.tif 000017
【図−２】
2014139089.tif 000018
【図−３】
2014139089.tif 000019
【図−４】
2014139089.tif 000020
【図−５】
2014139089.tif 000021